(57)【要約】【課題】効率良く迅速に障害復旧を行なう光伝送システムを得ること。【解決手段】複数の光伝送路と複数の光スイッチとで冗長接続したネットワーク内で、光伝送路および光スイッチを切替えながら所定の光パスでＰＸＣの光信号を伝送する光伝送システムにおいて、ＰＸＣ２０は、自装置を通過する光パスの入力信号および出力信号に基づいて自装置の装置障害と光伝送路上での伝送路障害とを区別して検出するとともに、装置障害を検出した場合に装置障害復旧開始時間だけ待機してから障害復旧を行ない、伝送路障害を検出した場合に伝送路障害復旧開始時間だけ待機してから障害復旧を行なう監視制御部２１を備え、装置障害復旧開始時間と伝送路障害復旧開始時間とがそれぞれ光パスの種類に応じた異なる値に設定されている。【選択図】        図２
2008219496.tif 000002
【特許請求の範囲】
【請求項１】
光信号の始点側の光伝送装置と、光信号の終点側の光伝送装置と、前記始点側の光伝送装置と終点側の光伝送装置との間を冗長接続する複数の光伝送路と、自装置内の通信経路を複数の光スイッチで冗長接続するとともに前記光伝送路の１つに配設される迂回経路用の光伝送装置とを有し、前記光伝送路および前記光スイッチを切替えながら所定の光パスで前記始点側の光伝送装置と前記終点側の光伝送装置との間で光信号を伝送する光伝送システムにおいて、
前記始点側の光伝送装置、前記終点側の前記光伝送装置および前記迂回経路用の前記光伝送装置は、それぞれ、
自装置を通過する光パスの入力信号および出力信号に基づいて、自装置の装置障害と前記光伝送路上での伝送路障害とを区別して検出する障害検出部と、
前記装置障害を検出してから装置内の光スイッチを切替えて障害復旧を開始するまでの待機時間である装置障害復旧開始時間および前記伝送路障害を検出してから前記光伝送路を切替えて障害復旧を開始するまでの待機時間である伝送路障害復旧開始時間を記憶しておく記憶部と、
前記障害検出部が前記装置障害を検出した場合に前記装置障害復旧開始時間だけ待機してから前記障害復旧を行なうとともに、前記障害検出部が前記伝送路障害を検出した場合に前記伝送路障害復旧開始時間だけ待機してから前記障害復旧を行なう制御部と、
を備え、
前記装置障害復旧開始時間と前記伝送路障害復旧開始時間とがそれぞれ前記光パスの種類に応じた異なる値に設定されていることを特徴とする光伝送システム。
【請求項２】
前記光パスの種類は、前記伝送路障害の発生時に始点側のノードが障害の発生位置を回避した迂回パスを算出するとともに算出した迂回パスの確立を行うよう設定されたリルーティング光パスであり、
前記リルーティング光パスに対応する前記装置障害復旧開始時間は、前記リルーティング光パスに対応する伝送路障害復旧開始時間よりも短いことを特徴とする請求項１に記載の光伝送システム。
【請求項３】
前記光パスの種類は、前記光伝送路のうち現用の光伝送路と予備の光伝送路との両方に光信号を伝送する１＋１プロテクション光パスであり、
前記１+１プロテクションに対応する前記伝送路障害復旧開始時間は、前記１+１プロテクションに対応する装置障害復旧開始時間よりも短いことを特徴とする請求項１または２に記載の光伝送システム。
【請求項４】
前記装置障害復旧開始時間および／または前記伝送路障害復旧開始時間は、
外部入力される指示に基づいて設定および変更される情報であることを特徴とする請求項１〜３のいずれか１つに記載の光伝送システム。
【請求項５】
複数の光伝送路と複数の光スイッチとで冗長接続したネットワーク内で、前記光伝送路および前記光スイッチを切替えながら所定の光パスで光信号の伝送を行なう光伝送装置において、
自装置を通過する光パスの入力信号および出力信号に基づいて、自装置の装置障害と前記光伝送路上での伝送路障害とを区別して検出する障害検出部と、
前記装置障害を検出してから装置内の光スイッチを切替えて障害復旧を開始するまでの待機時間である装置障害復旧開始時間および前記伝送路障害を検出してから前記光伝送路を切替えて障害復旧を開始するまでの待機時間である伝送路障害復旧開始時間を記憶しておく記憶部と、
前記障害検出部が前記装置障害を検出した場合に前記装置障害復旧開始時間だけ待機してから前記障害復旧を行なうとともに、前記障害検出部が前記伝送路障害を検出した場合に前記伝送路障害復旧開始時間だけ待機してから前記障害復旧を行なう制御部と、
を備え、
前記装置障害復旧開始時間と前記伝送路障害復旧開始時間とがそれぞれ前記光パスの種類に応じた異なる値に設定されていることを特徴とする光伝送装置。
【発明の詳細な説明】
【技術分野】
【０００１】
本発明は、冗長構成された光パスに対して光パスの切替えを行なう光伝送システムおよび光伝送装置に関するものである。
【背景技術】
【０００２】
近年、光通信システムの高速・大容量化に伴って、回線障害などが発生した場合であっても迅速に通信を復旧させることが望まれている。このため、光通信システムでは、光回線・光パスの冗長化や、光伝送装置の冗長化が行われるようになってきた。例えば、光通信システム内に、光パスの設定・切替を行う光クロスコネクト（ＰＸＣ）を複数導入し、ＰＸＣによってトラヒック需要に応じた光パスの設定・切替や、必要とされる光パスの信頼性に応じた障害発生時の伝送路切替を行なう技術がある。
【０００３】
伝送路切替の制御には、ＩＥＴＦ（Internet  Engineering  Task  Force）で標準化が進められているＧＭＰＬＳ（Generalized  Multi  Protocol  Label  Switching）プロトコルなどが使用されている。このＧＭＰＬＳでは、例えば第１のＰＸＣ（光パスの始点）と第２のＰＸＣ（光パスの終点）との間が現用パスで、第１のＰＸＣから第３のＰＸＣを経由した第２のＰＸＣまでのパス（迂回パス）を予備パスとしたネットワークに対して、現用パスと予備パスの伝送路切替を行なうことができる。
【０００４】
例えば、第１のＰＸＣと第２のＰＸＣとの間で光パスが確立している時に、第１のＰＸＣと第２のＰＸＣとの間のリンクにおいて障害が発生すると、第２のＰＸＣで光断（ＬＯＬ：Loss  Of  Light）を検出する。そして、第２のＰＸＣは、ＲＳＶＰ（Resource  reSerVation  Protocol）のＮｏｔｉｆｙメッセージによって、光パスの始点である第１のＰＸＣへ障害を伝える。第１のＰＸＣは、Ｐａｔｈ  Ｔｅａｒメッセージによって、現用パスである第１のＰＸＣと第２のＰＸＣとの間の光パスを解放し、障害箇所を除いた新たな光パス経路（第３のＰＸＣを経由する迂回パス）を計算し、Ｐａｔｈ／Ｒｅｓｖメッセージによって迂回パスを確立する。
【０００５】
また、光クロスコネクト（ＰＸＣ）が導入されるコアネットワークでは、高い信頼性が要求されるのでＰＸＣ自体の信頼性を向上させる必要がある。このため、ＰＸＣが導入されるコアネットワークでは、光パスを切り替える光スイッチを冗長構成にして光パスの設定・切替を行なっている。ＰＸＣ内の光スイッチを冗長構成にするため、ＰＸＣでは入力信号を光カプラで二分岐させ、現用の光スイッチと予備の光スイッチへ分配されている。そして、出力側の２×１スイッチによって、現用の光スイッチからの信号と予備の光スイッチからの信号の何れかの信号が出力信号として選択される。また、ＰＸＣでは、入力側と出力側にそれぞれ光モニタを配設しておき、この２つの光モニタのモニタ出力の組合せに基づいて装置障害（光スイッチ異常等）か伝送路障害かの判断を行なっている。
【０００６】
ＰＸＣは、例えば、出力側の光モニタが光断を検知した場合であって、入力側の光モニタが正常の場合は装置障害であると判断する。また、ＰＸＣは、出力側の光モニタが光断を検知した場合であって、入力側の光モニタが異常の場合は伝送路障害であると判断する。そして、ＰＸＣでは、装置障害であると判断した場合に、出力側の２×１スイッチを切替えることによって予備の光スイッチへの切替えを行なっていた。
【０００７】
また、光回線を切替える技術として、特許文献１に記載の光回線切替装置は、２重化された一方の回線から他方の回線に回線を切替える光回線切替装置において、入力光レベルが所定値以下になった後、所定値以下の入力光レベルが所定の保護時間だけ継続した場合にのみ、光回線の切替えを行なっている。
【０００８】
また、特許文献２に記載の光伝送装置は、入力信号を分岐・監視するとともに、全ての監視ポイントで入力断を検出すると伝送路障害と判断し、一部の監視ポイントで入力断を検出すると装置障害と判断し、この判断結果に基づいて冗長経路の切替を行っている。
【０００９】
【特許文献１】特開２００３−２１８７９３号公報
【特許文献２】特開平８−８４１１６号公報
【発明の開示】
【発明が解決しようとする課題】
【００１０】
しかしながら、上記前者の従来技術では、光回線切替装置内で光パスを切り替えることができないので、光回線切替装置自体の信頼性が低下するという問題があった。また、上記後者の従来技術では、伝送路を冗長接続していないので、光伝送装置間のリンクにおいて障害が発生した場合に迂回パスを確立することができないという問題があった。
【００１１】
また、上記前者の従来技術と上記後者の従来技術を組み合わせて、ＧＭＰＬＳによる伝送路切替と装置内冗長切替が同時に動作させる場合、ネットワーク運用者が意図しない光パス切替結果となる。すなわち、始点側のＰＸＣと終点側のＰＸＣとの間で迂回パス用のＰＸＣを経由して光パスを確立している時に、迂回パス用のＰＸＣで現用の光スイッチの障害が発生すると、迂回パス用のＰＸＣでは装置障害（現用の光スイッチを介した光パスの障害）が発生したと判断し、予備の光スイッチへの切替えを実施する。このとき、終点側のＰＸＣは、迂回パス用のＰＸＣを介した伝送路において伝送路障害が発生したと判断し、ＧＭＰＬＳによる伝送路切替動作を開始する。
【００１２】
この予備の光スイッチへの切替え動作と伝送路切替動作が同時に行われると、短時間での切替えが可能な装置内冗長切替が行われているにも係わらず、装置内冗長切替よりも長時間を要する伝送路切替が実行される。そして、この結果として始点側のＰＸＣと終点側のＰＸＣとを結ぶパス（迂回パス用のＰＸＣ２０を経由しないパス）への切替えが行われてしまう。このため、上記前者および後者の従来技術では、効率良く迅速に障害復旧を行なうことができないという問題があった。
【００１３】
本発明は、上記に鑑みてなされたものであって、効率良く迅速に障害復旧を行なう光伝送システムおよび光伝送装置を得ることを目的とする。
【課題を解決するための手段】
【００１４】
上述した課題を解決し、目的を達成するために、本発明は、光信号の始点側の光伝送装置と、光信号の終点側の光伝送装置と、前記始点側の光伝送装置と終点側の光伝送装置との間を冗長接続する複数の光伝送路と、自装置内の通信経路を複数の光スイッチで冗長接続するとともに前記光伝送路の１つに配設される迂回経路用の光伝送装置とを有し、前記光伝送路および前記光スイッチを切替えながら所定の光パスで前記始点側の光伝送装置と前記終点側の光伝送装置との間で光信号を伝送する光伝送システムにおいて、前記始点側の光伝送装置、前記終点側の前記光伝送装置および前記迂回経路用の前記光伝送装置は、それぞれ、自装置を通過する光パスの入力信号および出力信号に基づいて、自装置の装置障害と前記光伝送路上での伝送路障害とを区別して検出する障害検出部と、前記装置障害を検出してから装置内の光スイッチを切替えて障害復旧を開始するまでの待機時間である装置障害復旧開始時間および前記伝送路障害を検出してから前記光伝送路を切替えて障害復旧を開始するまでの待機時間である伝送路障害復旧開始時間を記憶しておく記憶部と、前記障害検出部が前記装置障害を検出した場合に前記装置障害復旧開始時間だけ待機してから前記障害復旧を行なうとともに、前記障害検出部が前記伝送路障害を検出した場合に前記伝送路障害復旧開始時間だけ待機してから前記障害復旧を行なう制御部と、を備え、前記装置障害復旧開始時間と前記伝送路障害復旧開始時間とがそれぞれ前記光パスの種類に応じた異なる値に設定されていることを特徴とする。
【発明の効果】
【００１５】
この発明によれば、装置障害を検出してから障害復旧を開始するまでの待機時間と、伝送路障害を検出してから障害復旧を開始するまでの待機時間とがそれぞれ光パスの種類に応じた異なる値に設定されているので、効率良く迅速に障害復旧を行なうことが可能になるという効果を奏する。
【発明を実施するための最良の形態】
【００１６】
以下に、本発明に係る光伝送システムおよび光伝送装置の実施の形態を図面に基づいて詳細に説明する。なお、この実施の形態によりこの発明が限定されるものではない。
【００１７】
実施の形態
図１は、本発明の実施の形態に係る光伝送システムの構成の一例を示す図である。光伝送システム１００は、冗長構成された光パス（光通信経路）に対して光パスの切替えを行なう通信システム（通信ネットワーク）であり、光クロスコネクト（光伝送装置）であるＰＸＣ（Photonic  Crossconnect）１０，２０，３０と通信端末１，２を有している。
【００１８】
ＰＸＣ１０とＰＸＣ３０とは、直接接続による伝送路とＰＸＣ２０を介した伝送路（迂回路）の２つの伝送路によって冗長接続されている。ＰＸＣ１０は、通信端末１と接続しており、通信端末１からの光信号を入力信号としてＰＸＣ３０側へ光信号を送出する。また、ＰＸＣ３０は、通信端末２と接続しており、ＰＸＣ１０からの光信号を通信端末２に送出する。本実施の形態では、ＰＸＣ２０に、光パス（光通信経路）として、伝送路障害の発生時に迂回パスの確立を行うよう定義された光パス（後述の「リルーティング」）や、現用パスと予備パスの両方に光信号を流している光パス（後述の「１＋１プロテクション」）が設定されている。
【００１９】
光伝送システム１００では、光通信経路の切替えとして、各ＰＸＣ１０，２０，３０がトラヒック需要に応じた光パスの設定・切替や、必要とされる光パスの信頼性に応じた障害発生時の伝送路切替を行なう。光伝送システム１００における伝送路切替の制御には、ＩＥＴＦのＧＭＰＬＳプロトコルなどを用いる。本実施の形態では、ＰＸＣ１０，２０，３０が、装置内冗長切替動作や伝送路切替動作を開始するまでの時間に関する情報（切替保護時間設定テーブル５０）を記憶しており、この切替保護時間設定テーブル５０に基づいて、光通信経路の切替えを行なう。
【００２０】
つぎに、実施の形態に係るＰＸＣ１０，２０，３０の構成について説明する。なお、ＰＸＣ１０，２０，３０は同様の構成を有するので、ここではＰＸＣ２０を例にとって説明する。
【００２１】
図２は、実施の形態に係るＰＸＣの構成を示す図である。ＰＸＣ２０は、入力側光モニタＡ１〜Ａｎ（ｎは自然数）、出力側光モニタＤ１〜Ｄｎ、現用光スイッチＸ１、予備光スイッチＸ２、光カプラＢ１〜Ｂｎ、出力側スイッチＣ１〜Ｃｎ、監視制御部２１を備えている。なお、現用光スイッチＸ１、予備光スイッチＸ２が特許請求の範囲に記載の光スイッチに対応する。また、監視制御部２１が特許請求の範囲に記載の障害検出部、記憶部、制御部に対応する。
【００２２】
入力側光モニタＡ１〜Ａｎは、入力信号を監視する入力側の光モニタである。ＰＸＣ２０の入力側光モニタＡ１〜Ａｎは、ＰＸＣ１０などの光クロスコネクトから送られてくる入力信号を監視する。ＰＸＣ２０では、入力側光モニタＡ１〜Ａｎの何れかがＰＸＣ１０と接続している。以下の説明では、入力側光モニタＡ１がＰＸＣ１０と接続している場合を例にとって説明する。各入力側光モニタＡ１〜Ａｎは、それぞれ光カプラＢ１〜Ｂｎに１対１で接続している。各入力側光モニタＡ１〜Ａｎは、入力信号をそれぞれの光カプラＢ１〜Ｂｎに送る。
【００２３】
光カプラＢ１〜Ｂｎは、それぞれ現用光スイッチＸ１および予備光スイッチＸ２の両方に接続している。各光カプラＢ１〜Ｂｎは、入力側光モニタＡ１〜Ａｎからの入力信号を二分岐し、現用光スイッチＸ１および予備光スイッチＸ２へ分配する。
【００２４】
現用光スイッチＸ１は、各出力側スイッチＣ１〜Ｃｎに接続している。現用光スイッチＸ１は、任意の入力ポート（光カプラＢ１〜Ｂｎ側）からの入力信号を、任意の出力ポート（出力側スイッチＣ１〜Ｃｎ側）へスイッチングする現用の光スイッチである。
【００２５】
予備光スイッチＸ２は、各出力側スイッチＣ１〜Ｃｎに接続している。予備光スイッチＸ２は、任意の入力ポート（光カプラＢ１〜Ｂｎ側）からの入力信号を、任意の出力ポート（出力側スイッチＣ１〜Ｃｎ側）へスイッチングする予備用の光スイッチである。
【００２６】
ＰＸＣ２０は、通常（異常が発生していない状態）の動作を行なう際に、現用光スイッチＸ１を用いて光信号を伝送し、装置異常（ＰＸＣ２０の異常）の場合に予備光スイッチＸ２を用いて光信号を伝送する。
【００２７】
出力側スイッチＣ１〜Ｃｎは、現用光スイッチＸ１からの信号と、予備光スイッチＸ２からの信号の何れか一方の信号を出力信号として選択する２×１（２−１）スイッチである。各出力側スイッチＣ１〜Ｃｎは、それぞれ出力側光モニタＤ１〜Ｄｎに１対１で接続している。各出力側スイッチＣ１〜Ｃｎは、選択した出力信号をそれぞれの出力側光モニタＤ１〜Ｄｎに送る。
【００２８】
出力側光モニタＤ１〜Ｄｎは、出力信号を監視する出力側の光モニタである。ＰＸＣ２０の出力側光モニタＤ１〜Ｄｎは、ＰＸＣ３０などの光クロスコネクトへ出力信号を送出するとともに、ＰＸＣ３０へ送る出力信号を監視する。ＰＸＣ２０では、出力側光モニタＤ１〜Ｄｎの何れかがＰＸＣ３０と接続している。以下の説明では、出力側光モニタＤ１がＰＸＣ３０と接続している場合を例にとって説明する。
【００２９】
監視制御部２１は、ＰＸＣ２０の動作を監視・制御する。本実施の形態の監視制御部２１は、本発明の主たる特徴である切替保護時間設定テーブル５０を記憶している。監視制御部２１は、切替保護時間設定テーブル５０に基づいて、光通信経路の切替え（現用光スイッチＸ１と予備光スイッチＸ２の切替えや伝送路の切替え）を制御をする。
【００３０】
ここで、光伝送システム１００に、光パスとして現用パスと予備パスの両方に光信号を流す「１＋１プロテクション」を設定した場合の接続構成例について説明する。ＰＸＣ２０では、入力側光モニタＡ１がＰＸＣ１０に接続するとともに、出力側光モニタＤ１がＰＸＣ３０と接続しているので、ＰＸＣ１０からの入力信号（光信号）は入力側光モニタＡ１、光カプラＢ１を介して現用光スイッチＸ１と予備光スイッチＸ２へ送られる。そして、現用光スイッチＸ１または予備光スイッチＸ２からの光信号は出力側スイッチＣ１、出力側光モニタＤ１を介してＰＸＣ３０に送られる。
【００３１】
なお、光伝送システム１００に「１＋１プロテクション」を設定した場合、ＰＸＣ１０では、例えばＰＸＣ１０の入力側光モニタＡ１と通信端末１とを接続するとともに、ＰＸＣ１０の出力側光モニタＤ１とＰＸＣ２０とを接続しておく。また、ＰＸＣ３０では、例えばＰＸＣ３０の入力側光モニタＡ１とＰＸＣ２０とを接続するとともに、ＰＸＣ３０の出力側光モニタＤ１と通信端末２とを接続しておく。さらに、例えばＰＸＣ１０の出力側光モニタＤ２とＰＸＣ３０の入力側光モニタＡ２とを接続しておく。
【００３２】
このように、光伝送システム１００に「１＋１プロテクション」を設定して、ＰＸＣ１０，２０，３０を接続した場合、ＰＸＣ３０では、ＰＸＣ２０からの入力信号を入力側光モニタＡ１、光カプラＢ１、現用光スイッチＸ１を介して出力側スイッチＣ１に入力している。また、ＰＸＣ３０は、ＰＸＣ１０からの入力信号を入力側光モニタＡ２、光カプラＢ２、予備光スイッチＸ２を介して出力側スイッチＣ１に入力している。そして、出力側スイッチＣ１が、現用光スイッチＸ１（ＰＸＣ２０）からの光信号と、予備光スイッチＸ２（ＰＸＣ１０）からの光信号の何れか一方を出力側光モニタＤ１に送っている。
【００３３】
ここで切替保護時間設定テーブル５０の構成について説明する。図３は、切替保護時間設定テーブルの構成の一例を示す図である。切替保護時間設定テーブル５０は、「光パス種別」、「装置障害切替保護時間」、「伝送路障害切替保護時間」がそれぞれ対応付けられた情報であり、光通信経路を切替える際に用いられる。「装置障害切替保護時間」が特許請求の範囲に記載の装置障害復旧開始時間に対応し、「伝送路障害切替保護時間」が特許請求の範囲に記載の伝送路障害復旧開始時間に対応する。
【００３４】
「光パス種別」は、本光伝送システム１００にて実現している光パスの冗長化種別を示している。「リルーティング」は、伝送路障害の発生時に始点ノードが新たな迂回パスを計算して、迂回パスの確立を行うように定義された光パス（リルーティング光パス）である。また、「１＋１プロテクション」は、現用パスと予備パスの両方に光信号を流している光パス（１＋１プロテクション光パス）である。
【００３５】
「装置障害切替保護時間」は、光パスの種別毎に設定される時間であり、ＰＸＣ２０（監視制御部２１）が装置障害であると判断してから、装置（ＰＸＣ２０）内の冗長切替動作（現用光スイッチＸ１と予備光スイッチＸ２の切替え動作）を開始するまでの時間（待機時間）である。
【００３６】
「伝送路障害切替保護時間」は、光パスの種別毎に設定される時間であり、ＰＸＣ２０（監視制御部２１）が伝送路障害であると判断してから伝送路切替動作（ＰＸＣ１０とＰＸＣ３０との直接接続への切替えや迂回接続への切替え）を開始するまでの時間（待機時間）である。
【００３７】
例えば、「光パス種別」が「リルーティング」のパスでは、「装置障害切替保護時間」がＲＴ１であり、「伝送路障害切替保護時間」がＲＴ２である。また、「光パス種別」が「１＋１プロテクション」のパスでは、「装置障害切替保護時間」がＰＴ１であり、「伝送路障害切替保護時間」がＰＴ２である。
【００３８】
切替保護時間設定テーブル５０は、ネットワーク運用者からの指示（外部入力される指示情報）によって「装置障害切替保護時間」と「伝送路障害切替保護時間」とを光パスの種別に応じて任意に設定／変更できる構成となっている。
【００３９】
つぎに、光伝送システム１００の動作手順について説明する。図４は、光伝送システムの動作手順を示すフローチャートである。図４では、ＰＸＣ２０の監視制御部２１が出力側光モニタＤ１の異常を検知した場合の処理フローを示している。
【００４０】
ＰＸＣ２０は、現用光スイッチＸ１を用いてＰＸＣ１０からの光信号をＰＸＣ３０側へ伝送している。ＰＸＣ２０では、出力側光モニタＤ１に異常（光断）が発生すると、監視制御部２１が出力側光モニタＤ１の異常を検知する（ステップＳ１０）。
【００４１】
監視制御部２１は、異常を検知した出力側光モニタＤ１に対応する光パス（異常に該当する光パス）の入力側光モニタの出力を確認する。ＰＸＣ２０は、ＰＸＣ１０からの光信号を入力側光モニタＡ１を介して出力側光モニタＤ１に送っているので、監視制御部２１は入力側光モニタＡ１の出力を確認する（ステップＳ２０）。
【００４２】
入力側光モニタＡ１が異常の場合（ステップＳ３０、Ｙｅｓ）、監視制御部２１は異常を検知した出力側光モニタＤ１の光パス（異常に該当する光パス）の上流において伝送路障害が発生したと判断する（ステップＳ４０）。一方、入力側光モニタＡ１が正常の場合（ステップＳ３０、Ｎｏ）、監視制御部２１は装置障害（ＰＸＣ２０の障害）が発生したと判断する（ステップＳ８０）。
【００４３】
監視制御部２１が伝送路障害が発生したと判断した場合、監視制御部２１は切替保護時間設定テーブル５０を参照する（ステップＳ５０）。そして、監視制御部２１は、異常状態の光パス（「光パス種別」）に対応する「伝送路障害切替保護時間」を、切替保護時間設定テーブル５０から抽出する（ステップＳ６０）。
【００４４】
ＰＸＣ２０の監視制御部２１は、切替保護時間設定テーブル５０から抽出した「伝送路障害切替保護時間」の経過後に、異常に該当する光パス（「光パス種別」）に対応する伝送路切替動作を開始し、伝送路切替を実施する（ステップＳ７０）。
【００４５】
一方、監視制御部２１が装置障害が発生したと判断した場合（ステップＳ８０）、監視制御部２１は切替保護時間設定テーブル５０を参照する（ステップＳ９０）。そして、監視制御部２１は、異常状態の光パス（「光パス種別」）に対応する「装置障害切替保護時間」を、切替保護時間設定テーブル５０から抽出する（ステップＳ１００）。
【００４６】
ＰＸＣ２０の監視制御部２１は、切替保護時間設定テーブル５０から抽出した「装置障害切替保護時間」の経過後に、装置内の冗長切替動作として出力側スイッチＣ１（２×１スイッチ）を切替える（ステップＳ１１０）。これにより、監視制御部２１は、予備光スイッチＸ２へ分配された入力信号を出力信号とする。
【００４７】
なお、図４では、ＰＸＣ２０の監視制御部２１が出力側光モニタＤ１の異常を検知した場合の処理フローについて説明したが、ＰＸＣ３０の監視制御部２１が出力側光モニタＤ１の異常を検知した場合の処理フローも図４で説明した処理と同様の処理フローとなる。
【００４８】
つぎに、光伝送システム１００において、リルーティング光パスが確立している場合の光通信経路の切替え処理について説明する。図５は、リルーティング光パスが確立している場合の光通信経路の切替え処理を説明するための図である。図５では、光伝送システム１００において、ＰＸＣ１０とＰＸＣ３０との間でＰＸＣ２０を経由したリルーティング光パスが確立している場合に、ＰＸＣ２０で現用光スイッチＸ１の障害が発生した場合の処理について説明する。
【００４９】
ＰＸＣ２０では、出力側光モニタＤ１と入力側光モニタＡ１の出力に基づいて、監視制御部２１がリルーティング光パスに装置障害が発生したと判断する。そして、ＰＸＣ２０の監視制御部２１は、切替保護時間設定テーブル５０の「光パス種別」（リルーティング）から「装置障害切替保護時間」のＲＴ１を求める。ＰＸＣ２０の監視制御部２１は、切替保護時間設定テーブル５０を用いて求めたＲＴ１の時間が経過した後、装置内冗長切替動作を実施する。
【００５０】
ＰＸＣ３０では、出力側光モニタＤ１と入力側光モニタＡ１の出力に基づいて、監視制御部２１がリルーティング光パスに伝送路障害が発生したと判断する。そして、ＰＸＣ３０の監視制御部２１は、切替保護時間設定テーブル５０の「光パス種別」（リルーティング）から「伝送路障害切替保護時間」のＲＴ２を求める。ＰＸＣ３０の監視制御部２１は、切替保護時間設定テーブル５０を用いて求めたＲＴ２の時間が経過した後、リルーティング光パスの伝送路切替動作を開始する。具体的には、ＰＸＣ３０からＰＸＣ１０（始点ノード）へＲＳＶＰのＮｏｔｉｆｙメッセージによる障害通知を実施する。
【００５１】
本実施の形態では、「伝送路障害切替保護時間」を「装置障害切替保護時間」よりも長く設定しておく。換言すると、ＲＴ２をＲＴ１よりも長く設定しておく。例えば、障害が発生してからＰＸＣ２０で装置内冗長切替動作が完了するまでの時間よりもＲＴ２を長く設定する。これにより、ＰＸＣ３０で伝送路切替動作が開始される前に、ＰＸＣ２０で装置内冗長切替動作が完了する。この結果、切替時間の短い装置内冗長切替によって光伝送システム１００内の障害復旧（回復）を行なうこと可能となる。このため、ＰＸＣ３０は、リルーティング光パスの伝送路切替動作を実際に行なう必要がない。
【００５２】
つぎに、光伝送システム１００において、１＋１プロテクション光パスが確立している場合の光通信経路の切替え処理について説明する。図６は、１＋１プロテクション光パスが確立している場合の光通信経路の切替え処理を説明するための図である。図６では、光伝送システム１００において、ＰＸＣ１０とＰＸＣ３０との間で１＋１プロテクション光パス（現用パスと予備パスの両方に光信号を流しているパス）が確立している場合に、ＰＸＣ２０で現用光スイッチＸ１の障害が発生した場合の処理について説明する。現用パスは、ＰＸＣ２０を経由したＰＸＣ１０とＰＸＣ３０との間の光パスであり、予備パスは、ＰＸＣ１０とＰＸＣ３０との間を直接結ぶ光パスである。
【００５３】
ＰＸＣ３０では、通常（異常が発生していない状態）の動作を行なう場合、出力側スイッチＣ１が現用光スイッチＸ１からの光信号を用いてＰＸＣ２０からの光信号を通信端末２側へ伝送している。
【００５４】
ＰＸＣ２０では、出力側光モニタＤ１と入力側光モニタＡ１の出力に基づいて、監視制御部２１が１＋１プロテクション光パスに装置障害が発生したと判断する。そして、ＰＸＣ２０の監視制御部２１は、切替保護時間設定テーブル５０の「光パス種別」（１＋１プロテクション）から「装置障害切替保護時間」のＰＴ１を求める。ＰＸＣ２０の監視制御部２１は、切替保護時間設定テーブル５０を用いて求めたＰＴ１の時間が経過した後、装置内冗長切替動作を開始する。
【００５５】
ＰＸＣ３０では、出力側光モニタＤ１と入力側光モニタＡ１の出力に基づいて、監視制御部２１が１＋１プロテクション光パスに伝送路障害が発生したと判断する。そして、ＰＸＣ３０監視制御部２１は、切替保護時間設定テーブル５０の「光パス種別」（１＋１プロテクション）から「伝送路障害切替保護時間」のＰＴ２を求める。ＰＸＣ３０の監視制御部２１は、切替保護時間設定テーブル５０を用いて求めたＰＴ２の時間が経過した後、１＋１プロテクション光パスの伝送路切替動作を開始する。具体的には、ＰＸＣ３０の監視制御部２１が出力側スイッチＣ１の切替え処理（現用パスから予備パスへの切替え）を実行する。現用パスから予備パスへの切替えは、現用光スイッチＸ１（ＰＸＣ２０）からの光信号と、予備光スイッチＸ２（ＰＸＣ１０）からの光信号との切替え処理である。
【００５６】
本実施の形態では、「装置障害切替保護時間」を「伝送路障害切替保護時間」よりも長く設定しておく。換言すると、ＰＴ１をＰＴ２よりも長く設定しておく。例えば、障害が発生してからＰＸＣ３０で伝送路切替動作が完了するまでの時間よりもＰＴ１を長く設定する。これにより、ＰＸＣ２０で装置内冗長切替動作が開始される前に、ＰＸＣ３０で伝送路切替動作（出力側スイッチＣ１の切替え動作）が完了する。この結果、ＰＸＣ２０による装置内冗長切替動作の完了を待つ必要がなくなり、ＰＸＣ３０での伝送路切替動作によって光伝送システム１００内の障害復旧を行なうこと可能となる。このため、ＰＸＣ２０は、装置内冗長切替動作を実際に行なう必要がない。
【００５７】
このように、光伝送システム１００では、障害復旧までの保護時間（待ち時間）として、「装置障害切替保護時間」と「伝送路障害切替保護時間」を独立に設けている。また、光パスの種別毎に保護時間を設定しているので、ネットワーク運用者が意図した通りの障害復旧（装置内冗長切替または伝送路切替）が行われる。
【００５８】
なお、本実施の形態では、ＰＸＣ１０が始点側のＰＸＣであり、ＰＸＣ３０が終点側のＰＸＣである場合について説明したが、ＰＸＣ３０を始点側のＰＸＣとし、ＰＸＣ１０を終点側のＰＸＣとして動作させてもよい。
【００５９】
また、光伝送システム１００は、図１に示した構成に限られず、例えばＰＸＣ１０とＰＸＣ２０の間に別の光伝送装置（ＰＸＣなど）を配設させてもよい。また、ＰＸＣ２０とＰＸＣ３０の間やＰＸＣ１０とＰＸＣ３０の間に別の光伝送装置を配設させてもよい。
【００６０】
このように実施の形態１によれば、リルーティング光パスでの障害発生の際に用いる「装置障害切替保護時間」が「伝送路障害切替保護時間」より十分短く設定されているので、リルーティング光パスで装置障害が発生した場合には、伝送路切替動作よりも障害復旧時間の短い装置内冗長切替動作によって障害復旧を行うことが可能となる。
【００６１】
また、１＋１プロテクション光パスでの障害発生時に用いる「伝送路障害切替保護時間」が「装置障害切替保護時間」より十分短く設定されているので、１＋１プロテクション光パスで装置障害が発生した場合には、装置内冗長切替動作の完了を待たずに伝送路障害切替動作による障害復旧を行うことが可能となる。したがって、装置障害に対する復旧処理と伝送路障害に対する復旧処理のうち、不要な復旧処理を行なう必要がなくなるので、光伝送システム１００は効率良く迅速に障害復旧を行なうことが可能となる。
【産業上の利用可能性】
【００６２】
以上のように、本発明に係る光伝送システムおよび光伝送装置は、冗長構成された光パスの切替えに適している。
【図面の簡単な説明】
【００６３】
【図１】本発明の実施の形態に係る光伝送システムの構成を示す図である。
【図２】実施の形態に係るＰＸＣの構成を示す図である。
【図３】切替保護時間設定テーブルの構成の一例を示す図である。
【図４】光伝送システムの動作手順を示すフローチャートである。
【図５】リルーティング光パスが確立している場合の光通信経路の切替え処理を説明するための図である。
【図６】１＋１プロテクション光パスが確立している場合の光通信経路の切替え処理を説明するための図である。
【符号の説明】
【００６４】
１，２  通信端末
１０，２０，３０  ＰＸＣ
２１  監視制御部
５０  切替保護時間設定テーブル
１００  光伝送システム
Ａ１〜Ａｎ  入力側光モニタ
Ｂ１〜Ｂｎ  光カプラ
Ｃ１〜Ｃｎ  出力側スイッチ
Ｄ１〜Ｄｎ  出力側光モニタ
Ｘ１  現用光スイッチ
Ｘ２  予備光スイッチ
【図１】
2008219496.tif 000003
【図２】
2008219496.tif 000004
【図３】
2008219496.tif 000005
【図４】
2008219496.tif 000006
【図５】
2008219496.tif 000007
【図６】
2008219496.tif 000008